(57)【要約】【課題】携帯端末から指示を行う読取処理、及び、画像記録処理の少なくともいずれか一方において、パラメータの選択肢を増やす。【解決手段】モバイルデバイスがＮＦＣインターフェースにかざされて開始されたＮＦＣ方式の無線通信が完了すると（Ｓ２０５：ＹＥＳ）、モバイルデバイスで選択できなかったパラメータを抽出し（Ｓ２０６）、そのうち使用頻度の高い４つのパラメータをモバイルデバイスの移動方向に割り付けてタッチパネルに表示させる（Ｓ２０７）。モバイルデバイスが移動されたと判定したとき、移動方向に割り付けられたパラメータを登録する（Ｓ２１２）。ＷＦＤ方式の無線通信によってモバイルデバイスから送信された印刷ジョブの受信を完了し（Ｓ２１３）、新たに登録したパラメータで印刷ジョブを実行する。【選択図】図９
2015032057.tif 000002
【特許請求の範囲】
【請求項１】
原稿に形成された画像を読み取る画像読取を行うための画像読取部、及び、記録媒体に画像を記録する画像記録を行うための画像記録部の少なくとも一方と、
携帯端末との間で送信元及び受信元の装置間の距離が所定の通信可能距離内となることで確立される無線通信を行うための通信部と、
表示部と、
ユーザからの指示を入力するための入力部と、
前記画像読取部及び前記画像記録部の少なくとも一方、前記通信部、前記表示部、及び前記入力部を制御する制御部とを備え、
前記制御部は、
前記通信部が前記携帯端末との間で前記無線通信を行った後に、前記画像読取部及び前記画像記録部の少なくとも一方の動作内容を設定するために設けられた全てのパラメータのうち、前記通信部によって接続中であるか、又は、前記通信部によって最後に接続していた携帯端末において選択することができないパラメータである選択不可パラメータを含む１つ以上を表示するように前記表示部を制御し、
前記表示部に表示されたパラメータに対応する信号を前記入力部から受信したとき、当該受信した信号に対応するパラメータに従って、前記画像読取及び前記画像記録のいずれか一方の処理が行われるように、前記画像読取部及び前記画像記録部のいずれか一方を制御する、情報処理装置。
【請求項２】
前記通信部は、前記無線通信を行うときに、携帯端末からの信号を受信し、かつ、携帯端末に向けて信号を送信するアンテナを含んでおり、
前記情報処理装置は、前記アンテナを覆うとともに、前記通信部が携帯端末との間で前記無線通信を行うときに当該携帯端末が近接させられるパネルを有しており、
前記入力部は、前記パネルと平行な平面内に配置され、且つ、前記パネルに対する携帯端末の位置に応じた信号を発信する複数の検知センサを含んでおり、
前記制御部は、
前記パネルと平行な平面に沿った携帯端末の移動方向と前記表示部に表示されたパラメータとの対応関係が表示されるように前記表示部を制御し、
前記通信部が携帯端末との間で前記無線通信を行った後に、前記複数の検知信号センサから受信した、前記複数の信号の少なくともいずれか１つが変化したときに、当該信号の変化から前記移動方向を検出することができれば、検出した前記移動方向に対応する前記パラメータが選択されたと判断することを特徴とする請求項１に記載の情報処理装置。
【請求項３】
前記複数の検知センサのそれぞれは、携帯端末を検知したときは検知を示す信号を発信し、携帯端末を検知しないときは非検知を示す信号を発信するものであり、
前記通信部が携帯端末との間で前記無線通信を行うときに前記複数の検知センサの少なくとも２つが検知を示す前記信号を発信し、
前記制御部は、前記通信部が携帯端末との間で前記無線通信を行った後に検知を示す信号を発信していたすべてのセンサから受信する複数の信号が同時に非検知を示す信号に変化した場合は、当該携帯端末から送信された前記パラメータに従って、前記画像読取及び前記画像記録の少なくともいずれか一方の処理が行われるように前記画像読取部及び前記画像記録部の少なくとも一方を制御する請求項２に記載の情報処理装置。
【請求項４】
前記複数の検知センサのそれぞれは、携帯端末を検知したときは検知を示す信号を発信し、携帯端末を検知しないときは非検知を示す信号を発信するものであり、  前記アンテナに流れる電流値を検出する電流センサをさらに備え、
前記制御部は、前記通信部が前記携帯端末との間で前記無線通信を行った後に、前記電流センサによる電流値の検出結果から前記アンテナに誘導電流が流れたことを検知したときに、前記複数の検知センサに係るすべての信号が携帯端末の非検知を示す信号であれば、携帯端末から送信された前記パラメータに従って、前記画像読取及び前記画像記録の少なくともいずれか一方の処理が行われるように前記画像読取部又は前記画像記録部を制御する請求項２に記載の情報処理装置。
【請求項５】
前記通信部は、前記無線通信により携帯端末から送信された当該携帯端末で選択されたパラメータを示す信号を受信し、
前記制御部は、前記選択不可パラメータに加えて、当該携帯端末において選択することができ、かつ、前記通信部が受信した前記信号が示すパラメータとは異なるパラメータが表示されるように前記表示部を制御することを特徴とする請求項１〜４のいずれか１項に記載の情報処理装置。
【請求項６】
既に実行された前記画像読取、及び前記画像記録において設定されていたパラメータに係る履歴を記憶する履歴記憶部をさらに備え、
前記制御部は、前記履歴記憶部を参照し、前記選択不可パラメータのうち使用頻度がより高いパラメータが優先的に表示されるように前記表示部を制御することを特徴とする請求項１〜５のいずれか１項に記載の情報処理装置。
【請求項７】
前記制御部は、携帯端末から送信された、当該携帯端末にインストールされているソフトウェアの種類を示す情報に従って、前記表示部に表示される前記選択不可パラメータを決定することを特徴とする請求項１〜６のいずれか１項に記載の情報処理装置。
【請求項８】
原稿に形成された画像を読み取る画像読取を行うための画像読取部、及び、記録媒体に画像を記録する画像記録を行うための画像記録部の少なくとも一方と、携帯端末との間で送信元及び受信元の装置間の距離が所定の通信可能距離内となることで確立される無線通信を行うための通信部と、表示部とを備える情報処理装置において、
前記通信部が携帯端末との間で前記無線通信を行った後に、前記画像読取部及び前記画像記録部の少なくとも一方の動作内容を設定するための全てのパラメータのうち、前記通信部によって接続中であるか、又は、前記通信部によって最後に接続していた携帯端末において選択することができないパラメータである選択不可パラメータを含む１つ以上を表示するように前記表示部を制御し、
前記表示部に表示されたパラメータに対応する信号を前記入力部から受信したとき、当該受信した信号に対応するパラメータに従って、前記画像読取及び前記画像記録のいずれか一方の処理が行われるように、前記画像読取部及び前記画像記録部のいずれか一方を制御するように、コンピュータを機能させることを特徴とするプログラム。
【請求項９】
原稿に形成された画像を読み取る画像読取及び記録媒体に画像を記録する画像記録の少なくとも一方を実行可能な情報処理装置との間で、送信元及び受信元の装置間の距離が所定の通信可能距離内となることで確立される無線通信を行うための通信部と、表示部と、ユーザからの指示を入力するための入力部とを備えた携帯端末に読み込まれる携帯端末プログラムであって、
前記画像読取及び前記画像記録の少なくとも一方の処理内容を設定するために設けられ複数のパラメータが前記表示部に表示されるように、前記表示部を制御し、
前記表示部に表示された複数のパラメータのいずれかを示す信号を前記入力部から受信した後、前記情報処理装置との間で前記無線通信が確立すると、当該無線通信により前記画像読取及び前記画像記録のいずれかの実行要求を示す情報及び前記表示部に表示されたパラメータに関連づけられた情報が前記情報処理装置へ送信されるよう前記通信部を制御し、
前記表示部に表示されたパラメータのいずれかを示す信号を前記入力部から受信した後、前記情報処理装置との間で確立した前記無線通信、及び送信元及び受信元の装置のそれぞれに係る固有情報に基づいて確立される、前記無線通信よりも通信速度が速い高速無線通信のいずれかによって、前記入力部から受信した信号が示すパラメータを前記情報処理装置へ送信するようにコンピュータを機能させることを特徴とするプログラム。
【請求項１０】
原稿に形成された画像を読み取る画像読取を行うための画像読取部、及び、記録媒体に画像を記録する画像記録を行うための画像記録部の少なくとも一方を備えた情報処理装置と、携帯端末とを有する情報処理システムであって、
前記情報処理装置は、
送信元及び受信元の装置間の距離が所定の通信可能距離内となることで確立される無線通信無線通信を行うための情報処理装置側通信部と、
情報処理装置側表示部と、
ユーザからの指示を入力するための情報処理装置側入力部と、
前記画像読取部及び前記画像記録部の少なくとも一方、前記通信部、前記表示部、及び前記入力部を制御する情報処理装置側制御部を備え、
前記携帯端末は、
前記通信無線通信を行うための携帯端末側通信部と、
携帯端末側表示部と、
ユーザからの指示を入力するための携帯端末側入力部と、
前記携帯端末側通信部、前記携帯端末側表示部、及び前記携帯端末側入力部を制御する携帯端末側制御部を備え、
前記携帯端末側制御部は、
前記画像読取及び前記画像記録の少なくとも一方の処理内容を設定するために設けられ複数のパラメータが前記表示部に表示されるように、前記表示部を制御し、
前記携帯端末側表示部に表示されたパラメータのいずれかを示す信号を前記携帯端末側入力部から受信した後、前記情報処理装置との間で前記無線通信が確立すると、当該無線通信により前記画像読取及び前記画像記録のいずれかの実行要求を示す情報及び前記携帯端末側表示部に表示されたパラメータに関連づけられた表示パラメータ関連情報が前記情報処理装置へ送信されるよう前記携帯端末側通信部を制御し、
前記情報処理装置側制御部は、
前記無線通信により前記携帯端末から前記画像読取及び前記画像記録のいずれかの実行要求を示す情報及び前記表示パラメータ関連情報を受信すると、
当該実行要求が示す前記画像読取及び前記画像記録のいずれか一方の処理内容を設定するために設けられた全てのパラメータのうち、前記パラメータ関連情報に関連づけられたパラメータ以外のパラメータを含む１つ以上を表示するように、前記情報処理装置側表示部を制御することを特徴とする情報処理システム。
【発明の詳細な説明】
【技術分野】
【０００１】
本発明は、原稿に形成された画像を読み取る読取処理、及び、記録媒体に画像を記録する画像記録処理の少なくともいずれか一方の処理を行う情報処理装置、プログラム及び情報処理システムに関する。
【背景技術】
【０００２】
スマートフォンなどの携帯端末にインストールされているアプリケーションソフトは、複数種類の装置に対して動作指示（パラメータ）を送信することが可能となっている（特許文献１参照）。しかしながら、制御対象となる装置が確定されていない状態でパラメータを決定する構成になるため、アプリケーションソフトでは、制御可能なすべての装置に共通のパラメータしか選択できないようにされることがある。ところで、このようなアプリケーションソフトを用いて印刷を行う場合には、ユーザが携帯端末でアプリケーションソフトを起動し、印刷設定や画像データ選択を行った後に、所望の処理装置とＮＦＣ（near field communication）を行う。そしてＮＦＣにて交換した通信情報に基づいて携帯端末とプリンタとの間でＷｉ−Ｆｉ通信を確立させ（ハンドオーバー）、その後Ｗｉ−Ｆｉ通信で印刷設定に関するパラメータ及び選択された画像データをプリンタに送信することになる（特許文献２参照）。なお、印刷設定に関するパラメータはＮＦＣを介して携帯端末とプリンタに送信することも可能である。
【０００３】
【特許文献１】特開２０１０−１４７４３０号公報
【特許文献２】特開２０１０−２４１１１４号公報
【発明の概要】
【発明が解決しようとする課題】
【０００４】
このように制御可能な複数の処理装置に共通のパラメータしか選択できないアプリケーションソフトを用いる場合、ユーザは印刷を実行するプリンタがもつすべての選択肢よりも少ない不十分な選択肢の中からしかパラメータを選択することしかできず、ユーザが所望する処理を適切に実行することが難しい。
【０００５】
本発明の目的は、携帯端末から指示を行う読取処理、及び、画像記録処理の少なくともいずれか一方において、パラメータの選択肢を増やすことができる情報処理装置、プログラム及び情報処理システムを提供することである。
【課題を解決するための手段】
【０００６】
本発明の情報処理装置は、原稿に形成された画像を読み取る画像読取を行うための画像読取部、及び、記録媒体に画像を記録する画像記録を行うための画像記録部の少なくとも一方と、携帯端末との間で送信元及び受信元の装置間の距離が所定の通信可能距離内となることで確立される無線通信を行うための通信部と、表示部と、ユーザからの指示を入力するための入力部と、前記画像読取部及び前記画像記録部の少なくとも一方、前記通信部、前記表示部、及び前記入力部を制御する制御部とを備え、前記制御部は、前記通信部が前記携帯端末との間で前記無線通信を行った後に、前記画像読取部及び前記画像記録部の少なくとも一方の動作内容を設定するために設けられた全てのパラメータのうち、前記通信部によって接続中であるか、又は、前記通信部によって最後に接続していた携帯端末において選択することができないパラメータである選択不可パラメータを含む１つ以上を表示するように前記表示部を制御し、前記表示部に表示されたパラメータに対応する信号を前記入力部から受信したとき、当該受信した信号に対応するパラメータに従って、前記画像読取及び前記画像記録のいずれか一方の処理が行われるように、前記画像読取部及び前記画像記録部のいずれか一方を制御する。
【０００７】
本発明のプログラムは、原稿に形成された画像を読み取る画像読取を行うための画像読取部、及び、記録媒体に画像を記録する画像記録を行うための画像記録部の少なくとも一方と、携帯端末との間で送信元及び受信元の装置間の距離が所定の通信可能距離内となることで確立される無線通信を行うための通信部と、表示部とを備える情報処理装置において、前記通信部が携帯端末との間で前記無線通信を行った後に、前記画像読取部及び前記画像記録部の少なくとも一方の動作内容を設定するための全てのパラメータのうち、前記通信部によって接続中であるか、又は、前記通信部によって最後に接続していた携帯端末において選択することができないパラメータである選択不可パラメータを含む１つ以上を表示するように前記表示部を制御し、前記表示部に表示されたパラメータに対応する信号を前記入力部から受信したとき、当該受信した信号に対応するパラメータに従って、前記画像読取及び前記画像記録のいずれか一方の処理が行われるように、前記画像読取部及び前記画像記録部のいずれか一方を制御するように、コンピュータを機能させる。
【０００８】
別の観点から見て本発明のプログラムは、原稿に形成された画像を読み取る画像読取及び記録媒体に画像を記録する画像記録の少なくとも一方を実行可能な情報処理装置との間で、送信元及び受信元の装置間の距離が所定の通信可能距離内となることで確立される無線通信を行うための通信部と、表示部と、ユーザからの指示を入力するための入力部とを備えた携帯端末に読み込まれる携帯端末プログラムであって、前記画像読取及び前記画像記録の少なくとも一方の処理内容を設定するために設けられ複数のパラメータが前記表示部に表示されるように、前記表示部を制御し、前記表示部に表示された複数のパラメータのいずれかを示す信号を前記入力部から受信した後、前記情報処理装置との間で前記無線通信が確立すると、当該無線通信により前記画像読取及び前記画像記録のいずれかの実行要求を示す情報及び前記表示部に表示されたパラメータに関連づけられた情報が前記情報処理装置へ送信されるよう前記通信部を制御し、前記表示部に表示されたパラメータのいずれかを示す信号を前記入力部から受信した後、前記情報処理装置との間で確立した前記無線通信、及び送信元及び受信元の装置のそれぞれに係る固有情報に基づいて確立される、前記無線通信よりも通信速度が速い高速無線通信のいずれかによって、前記入力部から受信した信号が示すパラメータを前記情報処理装置へ送信するようにコンピュータを機能させる。
【０００９】
本発明の情報処理システムは、原稿に形成された画像を読み取る画像読取を行うための画像読取部、及び、記録媒体に画像を記録する画像記録を行うための画像記録部の少なくとも一方を備えた情報処理装置と、携帯端末とを有する情報処理システムであって、前記情報処理装置は、送信元及び受信元の装置間の距離が所定の通信可能距離内となることで確立される無線通信無線通信を行うための情報処理装置側通信部と、情報処理装置側表示部と、ユーザからの指示を入力するための情報処理装置側入力部と、前記画像読取部及び前記画像記録部の少なくとも一方、前記通信部、前記表示部、及び前記入力部を制御する情報処理装置側制御部を備え、前記携帯端末は、前記通信無線通信を行うための携帯端末側通信部と、携帯端末側表示部と、ユーザからの指示を入力するための携帯端末側入力部と、前記携帯端末側通信部、前記携帯端末側表示部、及び前記携帯端末側入力部を制御する携帯端末側制御部を備え、前記携帯端末側制御部は、前記画像読取及び前記画像記録の少なくとも一方の処理内容を設定するために設けられ複数のパラメータが前記表示部に表示されるように、前記表示部を制御し、前記携帯端末側表示部に表示されたパラメータのいずれかを示す信号を前記携帯端末側入力部から受信した後、前記情報処理装置との間で前記無線通信が確立すると、当該無線通信により前記画像読取及び前記画像記録のいずれかの実行要求を示す情報及び前記携帯端末側表示部に表示されたパラメータに関連づけられた表示パラメータ関連情報が前記情報処理装置へ送信されるよう前記携帯端末側通信部を制御し、前記情報処理装置側制御部は、前記無線通信により前記携帯端末から前記画像読取及び前記画像記録のいずれかの実行要求を示す情報及び前記表示パラメータ関連情報を受信すると、当該実行要求が示す前記画像読取及び前記画像記録のいずれか一方の処理内容を設定するために設けられた全てのパラメータのうち、前記パラメータ関連情報に関連づけられたパラメータ以外のパラメータを含む１つ以上を表示するように、前記情報処理装置側表示部を制御する。
【発明の効果】
【００１０】
本発明によると、携帯端末において選択することができないパラメータを後に表示及び選択することが可能となるため、携帯端末にインストールされているアプリケーションソフトを変更することなくパラメータの選択肢を増やすことができる。これにより、処理装置は、ユーザが所望する処理を適切に実行することができる。
【図面の簡単な説明】
【００１１】
【図１】本発明の第１実施形態に係る複合機（ＭＦＰ）の外観図である。
【図２】図１に示す複合機（ＭＦＰ）の機能ブロック図である。
【図３】図１に示すＮＦＣパネルの平面図である。
【図４】図２に示す移動方向判定テーブルを示す図である。
【図５】図２に示す移動方向判定テーブルの内容を説明するための図である。
【図６】図３に示す履歴記憶部の記憶内容を示す図である。
【図７】図１に示すモバイルデバイスの機能ブロック図である。
【図８】図１に示すモバイルデバイスの動作手順を示すフローチャートである。
【図９】図１に示す複合機の動作手順を示すフローチャートである。
【図１０】図９においてタッチパネルに表示される内容を示す図である。
【図１１】図３に示すタッチパネルに表示される内容の変形例を示す図である。
【図１２】本発明の第２実施形態に係る複合機の動作手順を示すフローチャートである。
【図１３】図１２においてタッチパネルに表示される内容を示す図である。
【図１４】図１に示すＮＦＣパネルの変形例を示す図である。
【図１５】図１に示すＮＦＣパネルのさらなる変形例を示す図である。
【発明を実施するための形態】
【００１２】
＜第１実施形態＞
以下、本実施形態に係る情報処理装置について、添付図面を参照しつつ詳細に説明する。本実施形態は、スキャナ機能及び印刷機能を有する情報処理装置である複合機（ＭＦＰ：Multi Function Peripheral）に本発明を適用したものである。本実施形態のＭＦＰ１００は、カラー印刷が可能であってもモノクロ専用であってもよい。また、印刷機能についても、電子写真方式であってもインクジェット方式であってもよい。スキャナ機能については、カラー読み取りが可能であってもモノクロ専用であってもよい。また、読み取り機構についても、ＣＣＤであってもＣＩＳであってもよい。
【００１３】
図１に示すように、ＭＦＰ１００は、モバイルデバイス１０１との間で無線通信（ＮＦＣ方式及びＷｉ−Ｆｉダイレクト方式：後述）によって直接的にデータの送受信が可能となっている。ＭＦＰ１００の正面に、操作パネル４０が設けられている。操作パネル４０は、ＮＦＣインターフェース３７と、タッチパネル３６とを有している。ＮＦＣインターフェース３７及びタッチパネル３６は、操作パネル４０に平行な平面内において、図１中左右方向に並んで配置されている。
【００１４】
続いて、ＭＦＰ１００の概略構成について説明する。ＭＦＰ１００は、図２に示すように、ＣＰＵ３１と、ＲＯＭ３２と、ＲＡＭ３３と、フラッシュメモリ３４とを含む制御部３０を備えている。また、制御部３０は、用紙に画像を印刷する印刷機構（画像記録部）１０と、原稿の画像を読み取るスキャナ（画像読取部）１１と、タッチパネル３６と、ＮＦＣインターフェース３７と、無線ＬＡＮインターフェース３８と有線ＬＡＮインターフェース３９とに、電気的に接続されている。
【００１５】
ＲＯＭ３２には、ＭＦＰ１００を制御するための制御プログラム３２ａであるファームウェアや各種設定、初期値等が記憶されている。ＲＡＭ３３およびフラッシュメモリ３４は、各種制御プログラムが読み出される作業領域として、あるいはデータを一時的に記憶する記憶領域として利用される。また、フラッシュメモリ３４には、移動方向判定テーブル３４ａ（図４参照）と、履歴記憶部３４ｂ（図６参照）とが記憶されている（後述）。さらに、フラッシュメモリ３４には、ＭＦＰ１００の固有情報（ＩＰアドレスなど）が記憶されている。
【００１６】
ＣＰＵ３１は、ＲＯＭ３２から読み出した制御プログラム３２ａや各種センサから送られる信号に従って、その処理結果をＲＡＭ３３またはフラッシュメモリ３４に記憶させながら、ＭＦＰ１００の各構成要素を制御する。
【００１７】
タッチパネル３６は、入力機能及び表示機能を備えたユーザインターフェースであり、動作状況の表示やユーザによる入力操作の受付を行う
【００１８】
ＮＦＣインターフェース３７は、ＩＳＯ／ＩＥＣ２１４８１またはＩＳＯ／ＩＥＣ１８０９２の国際標準規格に基づいて、ＮＦＣ方式の無線通信を可能にするインターフェースである。図３に示すように、ＮＦＣインターフェース３７は、ＮＦＣアンテナ３７ａと、４つの検知センサ３７ｂを含んでいる。ＮＦＣアンテナ３７ａは、ＮＦＣインターフェース３７の中央に操作パネル４０の平面に沿って配置された略矩形状のループアンテナである。ＭＦＰ１００においては、電源ＯＮの間、ＮＦＣインターフェース３７から発せられる問い合わせ信号によって、ＮＦＣ方式の無線通信が実行可能なデバイスを検出する状態になっている。そのため、例えば、ユーザがモバイルデバイス１０１をＮＦＣインターフェース３７にかざすと、ＭＦＰ１００はモバイルデバイス１０１を検出し、モバイルデバイス１０１とＭＦＰ１００との間でＮＦＣ方式による無線通信が可能になる。なお、モバイルデバイス１０１をＮＦＣインターフェース３７に「かざす」とは、モバイルデバイス１０１をＮＦＣインターフェース３７の通信範囲内に配置する動作であり、モバイルデバイス１０１とＮＦＣインターフェース３７とが接触していてもいなくてもよい。
【００１９】
４つの検知センサ３７ｂは、ＮＦＣアンテナ３７ａの上下左右（ＵＰ、ＤＯＷＮ、ＬＥＦＴ、ＲＩＧＨＴ）に配置されている。検知センサ３７ｂは、ＮＦＣインターフェース３７にかざされたモバイルデバイス１０１を検知しなければＯＦＦを、ＮＦＣインターフェース３７にかざされたモバイルデバイス１０１を検知すればＯＮを出力（発信）する。検知センサ３７ｂの一例として反射型光学センサが挙げられる。
【００２０】
ＣＰＵ３１は、４つの検知センサ３７ｂ（ＵＰ、ＤＯＷＮ、ＲＩＧＨＴ、ＬＥＦＴ）の初期状態（モバイルデバイス１０１がＮＦＣインターフェース３７にかざされたときの状態）と、その後、初期状態においてＯＮとなっていた検知センサ３７ｂのうちいずれの検知センサ３７ｂがＯＦＦに変化したかを示す判定条件とで移動方向（ＵＰ、ＤＯＷＮ、ＲＩＧＨＴ、ＬＥＦＴ）を判定する。まず、ＣＰＵ３１は、初期状態において、ＯＮとなっている検知センサ３７ｂの数が１以下であるときは、ＯＮとなる検知センサ３７ｂが２以上になるように、すなわち、モバイルデバイス１０１がＮＦＣインターフェース３７の中央に移動させることを促す内容をタッチパネル３６に表示させ、ユーザを誘導する。
【００２１】
ＣＰＵ３１は、初期状態において、ＯＮとなっている検知センサ３７ｂの数が３以上であれば、初期状態においてＯＮとなっていた検知センサ３７ｂのうち最初にＯＦＦとなった検知センサ３７ｂに対応する方向の反対方向が移動方向と判定する。例えば、ＣＰＵ３１は、ＵＰに対応する検知センサ３７ｂがＯＮからＯＦＦに変化すれば移動方向がＤＯＷＮに、ＬＥＦＴに対応する検知センサ３７ｂがＯＮからＯＦＦに変化すれば移動方向がＲＩＧＨＴになったと判定する。
【００２２】
ＣＰＵ３１は、初期状態において、ＯＮとなっている検知センサ３７ｂの数が２であれば、図４に示す移動方向判定テーブル３４ａを参照して移動方向を判定する。図４に示すように、移動方向判定テーブル３４ａは、４つの検知センサ３７ｂ（Ｕ：ＵＰ、Ｄ：ＤＯＷＮ、Ｒ：ＲＩＧＨＴ、Ｌ：ＬＥＦＴ）の初期状態と、判定条件と、初期状態と判定条件とで決定される移動方向（ＵＰ、ＤＯＷＮ、ＬＥＦＴ、ＲＩＧＨＴ）とが、関連付けされている。例えば、ＣＰＵ３１は、図５（ａ）に示すように、初期状態においてＯＮとなっている検知センサ３７ｂがＵＰとＬＥＦＴで、ＬＥＦＴの検知センサ３７ｂがＯＮからＯＦＦになり、次いでＲＩＧＨＴの検知センサ３７ｂがＯＦからＯＮになるという判定条件が満たされたとき、移動方向がＲＩＧＨＴと判定し、図５（ｂ）に示すように、初期状態においてＯＮとなっている検知センサ３７ｂがＵＰとＲＩＧＨＴで、ＵＰの検知センサ３７ｂがＯＮからＯＦＦになり、次いでＲＩＧＨＴの検知センサがＯＦＦになるという判定条件が満たされたとき、移動方向がＲＩＧＨＴと判定する。
【００２３】
ＣＰＵ３１は、実行した印刷ジョブにおいて選択されたパラメータを履歴記憶部３４ｂに記憶する。図６に示すように、履歴記憶部３４ｂには、直近に実行した印刷ジョブから順に割り振られた履歴番号と、各設定項目（用紙サイズ、解像度、両面印刷／片面印刷（両／片）、及び、用紙の片面に印刷される頁数（Ｎｉｎ１：Ｎは１以上の自然数））について選択されたパラメータと、印刷ジョブに係る画像データの受信経路（Ｉ／Ｆ）とが記憶されている。なお、Ｉ／ＦのＵＳＢは、図示しないＵＳＢ（Universal Serial Bus）インターフェースに接続された外部装置から画像データを受信したことを示している。有線ＬＡＮ及びＵＳＢを介して画像データを送信する外部装置はたとえばＰＣ（personal computer）である。ＰＣには、モバイルデバイス１０１が記憶しているＭＦＰ制御プログラム５４ｃとは異なる、ＭＦＰ１００専用のプリンタドライバが記憶されている。このプリンタドライバでは、ＭＦＰにすべてのパラメータを選択することができる。
【００２４】
図２に戻って、無線ＬＡＮインターフェース３８は、ＩＥＥＥの８０２．１１の規格およびそれに準ずる規格に基づいて、Ｗｉ−Ｆｉダイレクト方式（ＷＦＤ方式）の無線通信（第２無線通信）を可能にするインターフェースである。ＮＦＣ方式とＷＦＤ方式とでは、通信方式（すなわち無線通信の規格）が異なり、ＷＦＤ方式の方がＮＦＣ方式よりも通信距離が長く通信速度も速い。ＭＦＰ１００は、無線ＬＡＮインターフェース３８を介して外部装置との間でデータの送受信を行う。さらに、無線ＬＡＮインターフェース３８は、Ｗｉ−Ｆｉ方式の無線通信により、ＬＡＮ経由でＬＡＮに接続された各種装置との間でデータの送受信を行うことが可能となっている。なお、ＭＦＰ１００は、有線ＬＡＮインターフェース３９を介してでもＬＡＮ経由でＬＡＮに接続された各種装置との間でデータの送受信を行うことが可能となっている。
【００２５】
なお、ＷＦＤ方式は、ネットワークを管理するグループオーナー機器と、クライアント機器とでネットワークを構築し、そのネットワーク内でデータの受け渡しを可能にする通信方式である。そのため、無線ＬＡＮインターフェース３８を介して外部装置とデータ通信を行うには、当該外部装置と無線通信を確立させ、ＷＦＤネットワークを構築する必要がある。本形態では、ＭＦＰ１００がＷＦＤネットワークを構築する際のグループオーナー機器になり、モバイルデバイス１０１がクライアント機器になる。クライアント機器はモバイルデバイス１０１のみに限るものではなく、他のデバイスもクライアント機器としてＷＦＤネットワークに属することが可能である。ＭＦＰ１００は、フラッシュメモリ３４にクライアント機器の固有情報と、クライアント機器とＷＦＤ方式による無線通信を確立させるためのＷＦＤ接続情報とを記憶している。ＷＦＤ接続情報には、ＷＦＤネットワークを識別するための識別子であるＳＳＩＤ（Service Set IDentifier）やパスワード、ＭＦＰ１００のＩＰアドレスなど固有情報が含まれる。
【００２６】
続いて、モバイルデバイス１０１の概略構成について説明する。図７に示すように、モバイルデバイス１０１は、ＣＰＵ５１と、ＲＯＭ５２と、ＲＡＭ５３と、フラッシュメモリ５４とを有する制御部５０を備えている。また、モバイルデバイス１０１は、表示機能と入力機能とを兼ねるタッチパネル５５と、外部装置との通信を可能にする通信インターフェースとしてＮＦＣインターフェース５７および無線ＬＡＮインターフェース５８と、メモリーカード５９ａを着脱自在なメモリーカードインターフェース５９と、無線の公衆電話回線を介してデータの送受信を可能とする電話回線通信部６０とを有し、これらが制御部５０によって制御される。メモリーカード５９ａには、ユーザが所有する画像データが記憶されている。
【００２７】
ＮＦＣインターフェース５７は、ＭＦＰ１００のＮＦＣインターフェース３７と同様に、ＮＦＣ方式の無線通信を可能にするインターフェースである。また、無線ＬＡＮインターフェース５８は、ＭＦＰ１００の無線ＬＡＮインターフェース３８と同様に、Ｗｉ−Ｆｉ方式又はＷＦＤ方式の無線通信を可能にするインターフェースである。
【００２８】
モバイルデバイス１０１のフラッシュメモリ５４には、ＯＳや、インターネット上のファイルを閲覧するためのブラウザ、各種のデバイスを制御するデバイスドライバ等が組み込まれている。また、フラッシュメモリ５４には、モバイルデバイス１０１に関するＩＰアドレス及びユーザの個人情報を含む固有情報や、モバイルデバイス１０１を機能させる各種アプリケーション（以下、アプリ）が記憶されている。この記憶されているアプリには、ＮＦＣインターフェース５７を用いてＮＦＣ方式のデータ通信を行うためのＮＦＣ通信プログラム５４ａ、無線ＬＡＮインターフェース５８を用いてＷｉ−Ｆｉ又はＷＦＤ方式の通信を行うための無線ＬＡＮ通信プログラム５４ｂ、モバイルデバイス１０１内に記憶されている画像データをＭＦＰ１００に印刷させるための印刷ジョブなどを生成するＭＦＰ制御プログラム５４ｃ、及び、電話回線通信部６０を用いて公衆電話回線経由のデータ通信を行うための電話回線通信プログラム５４ｄが含まれる。
【００２９】
ＭＦＰ制御プログラム５４ｃを実行するＣＰＵ５１は、ユーザによって選択された印刷対象の画像データに基づいて印刷データを生成する。そして、その印刷データの印刷をＭＦＰ１００に実行させる印刷ジョブを生成し、モバイルデバイス１０１のジョブキューに登録する。
【００３０】
また、ＭＦＰ制御プログラム５４ｃを実行するＣＰＵ５１は、固有情報に基づいてＷＦＤ方式の接続が確立されれば、無線ＬＡＮ通信プログラム５４ｂのＡＰＩ（Application Programming Interface）を呼び出して、ＷＦＤ方式により、印刷ジョブをモバイルデバイス１０１からＭＦＰ１００に送信することができる。
【００３１】
ＣＰＵ５１は、ＲＯＭ５２から読み出した制御プログラムやフラッシュメモリ５４から読み出したプログラムに従って、その演算結果をＲＡＭ５３またはフラッシュメモリ５４に記憶させながら各種の処理を行う。上述したアプリの動作も、ＣＰＵ５１によって処理される。
【００３２】
モバイルデバイス１０１のＭＦＰ制御プログラム５４ｃに関する動作について図８を参照しつつ説明する。図８に示すように、ＭＦＰ制御プログラム５４ｃが開始されると、ＣＰＵ５１は、メモリーカード５９ａに記憶された画像データ一覧をファイル名又はサムネイル画像でタッチパネル５５に表示させる（Ｓ１０１）。ユーザは、画像データ一覧から印刷対象の画像データを選択した後（Ｓ１０２；ＹＥＳ）、各設定項目について印刷に関するパラメータを決定する（Ｓ１０３）。具体的には、各設定項目について、選択可能な複数のパラメータをタッチパネル５５に表示させ、ユーザが表示された複数のパラメータからいずれかを選択する。なお、モバイルデバイス１０１においては、通信を開始するまでは制御対象となるＭＦＰ１００の仕様が不明なため、通常のＭＦＰに適用可能な汎用性の高いパラメータのみ選択可能となっている。例えば、本実施形態において、モバイルデバイス１０１で各設定項目について選択可能なパラメータは、用紙サイズについてはＡ４Ａ５、Ａ６、Ｂ５及びＢ６、解像度については３００ｄｐｉ、両面印刷／片面印刷については片面印刷、及び、用紙の片面に印刷される頁数（Ｎｉｎ１：Ｎは１以上の自然数））については１である。
【００３３】
ＣＰＵ５１は、選択された画像データに基づいて印刷データを生成し、さらに、その印刷データの印刷をプリンタに実行させる印刷ジョブを生成してモバイルデバイス１０１のジョブキューに登録する（Ｓ１０４）。これにより、モバイルデバイス１０１は、ＭＦＰ１００への印刷ジョブの送信が可能な状態になる。なお、印刷ジョブには各設定項目についてユーザが選択したパラメータが含まれている。
【００３４】
モバイルデバイス１０１に印刷ジョブが登録された状態で、ユーザがそのモバイルデバイス１０１をＭＦＰ１００のＮＦＣインターフェース３７にかざすことにより、ＭＦＰ１００がＮＦＣアンテナ３７ａによりモバイルデバイス１０１を検出し、モバイルデバイス１０１とＭＦＰ１００との間で、ＮＦＣ方式による無線通信が確立する。ＣＰＵ５１は、ＮＦＣ方式による無線通信が確立したか否かを判断し（Ｓ１０５）、ＮＦＣ方式による無線通信が確立していなければ（Ｓ１０５：ＮＯ）、確立するまで待機する。
【００３５】
ＣＰＵ５１は、ＮＦＣ方式による無線通信が確立すれば（Ｓ１０５：ＹＥＳ）、ＮＦＣ方式の無線通信によって、ＭＦＰ制御プログラム５４ｃのバージョン情報（モバイルデバイス１０１にインストールされているソフトウェアの種類を示す情報）の送信、及び、ＭＦＰ１００との間でＷＤＦ方式の無線通信に必要な固有情報の送受信を行う（Ｓ１０６）。
【００３６】
ＣＰＵ５１は、ハンドオーバーによりＭＦＰ１００とのＷＦＤ方式による無線通信を確立させる（ハンドオーバー）（Ｓ１０７）。そして確立させたＷＦＤ方式によって、モバイルデバイス１０１に登録されている印刷ジョブをＭＦＰ１００に送信する（Ｓ１０８）。以上で、図８のフローチャートを終了する。
【００３７】
なお、後述するように、ＭＦＰ１００においては、モバイルデバイス１０１とＮＦＣ方式による無線通信が完了した後に、モバイルデバイス１０１を所定方向にスライドさせることによりパラメータの変更を行うことができる。
【００３８】
次に、ＭＦＰ１００の動作について図９を参照しつつ説明する。図９に示すように、ＣＰＵ３１は、ＮＦＣ方式の無線通信を行うことが可能なモバイルデバイス１０１が存在するか否かの問い合わせ信号をＮＦＣアンテナ３７ａから送信し（ポーリング）、問い合わせ信号を受信したモバイルデバイス１０１から送信された応答信号をＮＦＣアンテナ３７ａを介して受信（ポーリングＨＩＴ）したか否かを判断する（Ｓ２０１）。ＣＰＵ３１は、ポーリングＨＩＴしていないと判断した場合は（Ｓ２０１：ＮＯ）、ＮＦＣアンテナ３７ａに所定時間毎にポーリングを繰り返させる。ＣＰＵ３１は、ポーリングＨＩＴしたと判断したら（Ｓ２０１：ＹＥＳ）、検知センサ３７ｂが２つ以上ＯＮとなっているか否かを判断する（Ｓ２０２）。ＣＰＵ３１は、検知センサ３７ｂが２つ以上ＯＮとなっていなければ（Ｓ２０２：ＮＯ）、モバイルデバイス１０１がＮＦＣインターフェース３７の中央に移動させることを促す内容をタッチパネル３６に表示させ、ユーザを誘導する（Ｓ２０３）。
【００３９】
ＣＰＵ３１は、検知センサ３７ｂが２つ以上ＯＮとなっていれば（Ｓ２０２：ＹＥＳ）、モバイルデバイス１０１との間でＮＦＣ方式の無線通信を確立させ、モバイルデバイス１０１から送信されたＭＦＰ制御プログラム５４ｃのバージョン情報の取得、及び、モバイルデバイス１０１との間でＷＤＦ方式の無線通信に必要な固有情報の送受信（ハンドオーバー）を開始する（Ｓ２０４）。ＣＰＵ３１は、ＮＦＣ方式の無線通信が完了すると（Ｓ２０５：ＹＥＳ）、先に取得したＭＦＰ制御プログラム５４ｃのバージョン情報から、モバイルデバイス１０１で選択できなかったパラメータ（別パラメータ）を各設定項目について抽出する（Ｓ２０６）。ＭＦＰ制御プログラム５４ｃは、ＭＦＰ１００に係るすべてのパラメータと、ＭＦＰ制御プログラムのバージョンと各バージョンにおいて選択可能なすべてのパラメータとを設定項目毎に記憶しており、両者の差分を取ることによってモバイルデバイス１０１で選択できなかったパラメータを抽出する。本実施形態においてモバイルデバイス１０１で選択できなかった抽出されたパラメータは、用紙サイズについてはＡ３及びＢ４、解像度については６００ｄｐｉ及び９００ｄｐｉ、両面印刷／片面印刷については両面印刷、用紙の片面に印刷される頁数（Ｎｉｎ１：Ｎは１以上の自然数））については２ｉｎ１及び４ｉｎ１である。
【００４０】
ＣＰＵ３１は、先に抽出したパラメータのうち履歴記憶部３４ｂを参照して上記４つの設定項目のそれぞれについて最も使用頻度の高いパラメータを決定し、図１０に示すように、決定した４つのパラメータをＮＦＣインターフェース３７にかざされたモバイルデバイス１０１の移動方向（ＵＰ、ＤＯＷＮ、ＲＩＧＨＴ、ＬＥＦＴ）にそれぞれ一つずつ割り付けてタッチパネル３６に表示させる（Ｓ２０７）。このとき、ＣＰＵ３１は、ある設定項目についてパラメータを変更させるときは、変更したいパラメータの向きへ端末（モバイルデバイス１０１）を移動（スライド）させること、変更させないときは、そのまま端末を離すことをタッチパネル３６にさらに表示させる。
【００４１】
ＣＰＵ３１は、４つの検知センサ３７ｂのうちＯＮであった検知センサ３７ｂがＯＮからＯＦＦに変化したか否かを判断する（Ｓ２０８）。ＣＰＵ３１は、検知センサ３７ｂがＯＮからＯＦＦに変化していないと判断したときは（Ｓ２０８：ＮＯ）、検知センサ３７ｂがＯＮからＯＦＦに変化するまで待機する。ＣＰＵ３１は、ＯＮであった検知センサ３７ｂがＯＮからＯＦＦに変化したと判断したとき（Ｓ２０８：ＹＥＳ）、ＯＮとなっていた検知センサ３７ｂが全て同時にＯＦＦになったか否かを判断する（Ｓ２０９）。ＣＰＵ３１は、ＯＮとなっていた検知センサ３７ｂが全て同時にＯＦＦに変化した、すなわち、モバイルデバイス１０１がＮＦＣインターフェース３７から離隔されたと判断したときは（Ｓ２０９：ＹＥＳ）、モバイルデバイス１０１との間でＷＦＤ方式の無線通信を確立し、モバイルデバイス１０１からＷＦＤ方式の無線通信によって送信（入力部への入力）された印刷ジョブ（パラメータ含む）の受信を完了する（Ｓ２１０）。そして、ＣＰＵ３１は、各設定項目についてＷＦＤ方式の無線通信で受信したパラメータで印刷ジョブを実行し（Ｓ２１１）、図９のフローチャートを終了する。
【００４２】
ＣＰＵ３１は、ＯＮとなっていた検知センサ３７ｂが全て同時にＯＦＦになっていない、すなわち、モバイルデバイス１０１がＮＦＣインターフェース３７にかざされた状態で移動されたと判断したときは（Ｓ２０９：ＮＯ）、４つの検知センサ３７ｂの初期状態と、その後の４つの検知センサ３７ｂ変化を示す判定条件とで移動方向（ＵＰ、ＤＯＷＮ、ＲＩＧＨＴ、ＬＥＦＴ）を判定する。ＣＰＵ３１は、判定した移動方向に割り付けられたパラメータをそのパラメータが属する設定項目のパラメータとして登録する（Ｓ２１２）。ＣＰＵ３１は、モバイルデバイス１０１との間でＷＦＤ方式の無線通信を確立し、モバイルデバイス１０１から送信された印刷ジョブの受信を完了する（Ｓ２１３）。そして、ＣＰＵ３１は、Ｓ２１２でパラメータを登録した設定項目についてはＳ２１２で登録したパラメータで、他の設定項目についてはＳ２１３で受信した印刷ジョブに含まれるパラメータで印刷ジョブを実行し（Ｓ２１４）、図９のフローチャートを終了する。
【００４３】
なお、モバイルデバイス１０１からＭＦＰ１００の印刷機構１０を制御する場合について説明したが、スキャナ１１を制御する場合についてもパラメータ選択の手順は同様である。この場合、ＭＦＰ１００は、決定されたパラメータを用いてスキャンジョブを実行した後に、ＷＦＤ方式の無線通信によりモバイルデバイス１０１にスキャンジョブの実行結果である画像データを送信する。
【００４４】
以上、詳細に説明したように本実施形態のＭＦＰ１００によると、モバイルデバイス１０１において選択することができないパラメータを後に表示及び選択することが可能となるため、モバイルデバイス１０１にインストールされているＭＦＰ制御プログラムを変更することなくパラメータの選択肢を増やすことができる。これにより、ＭＦＰ１００は、ユーザが所望する処理を適切に実行することができる。
【００４５】
また、初期状態においてＯＮとなっていた検知センサ３７ｂのうちいずれの検知センサ３７ｂがＯＦＦに変化したかでモバイルデバイス１０１の移動方向が判定され、判定された移動方向に割り付けられたパラメータが当該設定項目について登録されるため、モバイルデバイス１０１を移動させるという容易な操作でパラメータを選択することができる。
【００４６】
さらに、初期状態においてＯＮとなっていた検知センサ３７ｂが全て同時にＯＦＦに変化したとき、モバイルデバイス１０１がＮＦＣインターフェース３７から離隔されたと判断された後に、ＷＦＤ方式で受信したパラメータで印刷ジョブが実行されるため、ＮＦＣ方式の無線通信を行った後にモバイルデバイス１０１をＮＦＣインターフェース３７から離隔させるという簡単な操作で、予め選択されたパラメータで印刷ジョブを行うことができる。
【００４７】
加えて、履歴記憶部３４ｂに基づいて、モバイルデバイス１０１で選択できなかったパラメータのうち各設定項目について使用頻度の最も高いパラメータをタッチパネル３６に表示して選択可能とするため、ユーザの利便性が向上する。なお、各設定項目について２つのパラメータをタッチパネル３６に表示して選択可能とする場合には、各設定項目について使用頻度の最も高いパラメータと２番目に高いパラメータを選択可能とすればよい。以下同様にして、各設定項目についてｎ個以上のパラメータをタッチパネル３６に表示して選択可能とする場合は、使用頻度の１〜ｎ番目に高いｎ個のパラメータを選択可能とすればよい。
【００４８】
また、モバイルデバイス１０１から送信されたＭＦＰ制御プログラム５４ｃのバージョン情報からモバイルデバイス１０１で選択できなかったパラメータが抽出され、タッチパネル３６に表示されるため、より適切なパラメータを効率よくユーザに選択させることができる。
【００４９】
＜変形例＞
本実施形態においては、モバイルデバイス１０１で選択できなかったパラメータのうち４つの設定項目のそれぞれについて最も使用頻度の高いパラメータをモバイルデバイス１０１の移動方向にそれぞれ一つずつ割り付けてタッチパネル３６に表示させる構成であるが（図１０参照）、図１１に示すように、移動方向の少なくとも１つに２つの設定項目について使用頻度の最も高い２つの選択できなかったパラメータの組み合わせを割り付ける構成であってもよい。これによると、ユーザの利便性がさらに向上する。
【００５０】
＜第２実施形態＞
次に、本発明に係る第２実施形態について図１２及び図１３を参照しつつ説明する。なお、本実施形態においては、ＭＦＰ１００の制御プログラムのみが第１実施形態と異なるため、以下、ＭＦＰ１００の動作について説明する。
【００５１】
図１２に示すように、ＣＰＵ３１は、ＮＦＣインターフェース３７からＮＦＣ方式の無線通信を行うことが可能なモバイルデバイス１０１が存在するか否かの問い合わせ信号をＮＦＣアンテナ３７ａから送信し（ポーリング）、問い合わせ信号を受信したモバイルデバイス１０１から送信された応答信号をＮＦＣアンテナ３７ａを介して受信（ポーリングＨＩＴ）したか）否かを判断する（Ｓ３０１）。ＣＰＵ３１は、ポーリングＨＩＴしていない場合は（Ｓ３０１：ＮＯ）、ＮＦＣアンテナ３７ａに所定時間毎にポーリングを繰り返させる。ＣＰＵ３１は、ポーリングＨＩＴしたと判断したら（Ｓ３０１：ＹＥＳ）、検知センサ３７ｂが２つ以上ＯＮとなっているか否かを判断する（Ｓ３０２）。ＣＰＵ３１は、検知センサ３７ｂが２つ以上ＯＮとなっていなければ（Ｓ３０２：ＮＯ）、モバイルデバイス１０１がＮＦＣインターフェース３７の中央に移動させることを促す内容をタッチパネル３６に表示させ、ユーザを誘導する（Ｓ３０３）。
【００５２】
ＣＰＵ３１は、検知センサ３７ｂが２つ以上ＯＮとなっていれば（Ｓ３０２：ＹＥＳ）、モバイルデバイス１０１との間でＮＦＣ方式の無線通信を確立させ、モバイルデバイス１０１から送信されたＭＦＰ制御プログラム５４ｃのバージョン情報及びユーザがモバイルデバイス１０１において選択したパラメータの取得と、モバイルデバイス１０１との間でＷＤＦ方式の無線通信に必要な固有情報の送受信（ハンドオーバー）とを開始する（Ｓ３０４）。ＣＰＵ３１は、ＮＦＣ方式の無線通信が完了すると（Ｓ３０５：ＹＥＳ）、先に取得したＭＦＰ制御プログラム５４ｃのバージョン情報から、モバイルデバイス１０１で選択できなかったパラメータ（別パラメータ）を抽出すると共に、ユーザがモバイルデバイス１０１において選択しなかったパラメータを各設定項目について抽出する（Ｓ３０６）ＭＦＰ制御プログラム５４ｃは、ＭＦＰ１００に係るすべてのパラメータと、ＭＦＰ制御プログラムのバージョンと各バージョンにおいて選択可能なすべてのパラメータとを設定項目毎に記憶しており、両者の差分を取ることによってモバイルデバイス１０１で選択できなかったパラメータを抽出する。本実施形態においてモバイルデバイス１０１で選択できなかった抽出されたパラメータは、用紙サイズについてはＡ３及びＢ４、解像度については６００ｄｐｉ及び９００ｄｐｉ、両面印刷／片面印刷については両面印刷、用紙の片面に印刷される頁数（Ｎｉｎ１：Ｎは１以上の自然数））については２ｉｎ１及び４ｉｎ１である。
【００５３】
ＣＰＵ３１は、先に抽出したパラメータのうち履歴記憶部３４ｂを参照して上記４つの設定項目のそれぞれについて最も使用頻度の高いパラメータを決定し、図１３に示すように、決定した４つのパラメータをＮＦＣインターフェース３７にかざされたモバイルデバイス１０１の移動方向（ＵＰ、ＤＯＷＮ、ＲＩＧＨＴ、ＬＥＦＴ）にそれぞれ一つずつ割り付けてタッチパネル３６に表示させる。このとき、ＣＰＵ３１は、ある設定項目についてパラメータを変更させるときは、変更したいパラメータの向きへ端末（モバイルデバイス１０１）を移動（スライド）させること、変更させないときは、そのまま端末を離すことをタッチパネル３６にさらに表示させる（Ｓ３０７）。また、ＣＰＵ３１は、移動方向の中央に、ユーザがモバイルデバイス１０１において選択したパラメータを表示させる。
【００５４】
ＣＰＵ３１は、４つの検知センサ３７ｂのうちＯＮであった検知センサ３７ｂがＯＮからＯＦＦに変化したか否かを判断する（Ｓ３０８）。ＣＰＵ３１は、検知センサ３７ｂがＯＮからＯＦＦに変化していないと判断したときは（Ｓ３０８：ＮＯ）、検知センサ３７ｂがＯＮからＯＦＦに変化するまで待機する。ＣＰＵ３１は、ＯＮであった検知センサ３７ｂがＯＮからＯＦＦに変化したと判断したとき（Ｓ３０８：ＹＥＳ）、ＯＮとなっていた検知センサ３７ｂが全て同時にＯＦＦになったか否かを判断する（Ｓ３０９）。
【００５５】
ＣＰＵ３１は、ＯＮとなっていた検知センサ３７ｂが全て同時にＯＦＦになっていない、すなわち、モバイルデバイス１０１がＮＦＣインターフェース３７にかざされた状態で移動されたと判断したときは（Ｓ３０９：ＮＯ）、４つの検知センサ３７ｂの初期状態と、その後、初期状態においてＯＮとなっていた検知センサ３７ｂのうちいずれの検知センサ３７ｂがＯＦＦに変化したかを示す判定条件とで移動方向（ＵＰ、ＤＯＷＮ、ＲＩＧＨＴ、ＬＥＦＴ）を判定する。ＣＰＵ３１は、判定した移動方向に割り付けられたパラメータを当該設定項目について登録する（Ｓ３１０）。ＣＰＵ３１は、モバイルデバイス１０１との間でＷＦＤ方式の無線通信を確立し、モバイルデバイス１０１から送信された印刷ジョブの受信を完了する（Ｓ３１１）。そして、ＣＰＵ３１は、新たに登録したパラメータ、及び、他の設定項目についてＳ３１１で受信した印刷ジョブに含まれるパラメータで印刷ジョブを実行し（Ｓ３１２）、図１２のフローチャートを終了する。
【００５６】
以上、詳細に説明したように本実施形態のＭＦＰ１００によると、モバイルデバイス１０１において選択することができないパラメータを後に表示及び選択することが可能となるため、モバイルデバイス１０１にインストールされているＭＦＰ制御プログラムを変更することなくパラメータの選択肢を増やすことができる。これにより、ＭＦＰ１００は、ユーザが所望する処理を適切に実行することができる。
【００５７】
また、モバイルデバイス１０１で選択できなかったパラメータだけでなく、ユーザがモバイルデバイス１０１において選択しなかったパラメータからもパラメータを再選択可能となるため、モバイルデバイス１０１において選択できたパラメータについても変更対象のパラメータとすることができる。
【００５８】
なお、本実施の形態は単なる例示にすぎず、本発明を何ら限定するものではない。したがって本発明は当然に、その要旨を逸脱しない範囲内で種々の改良、変形が可能である。例えば、上述の実施形態では、４つの検知センサ３７ｂが、ＮＦＣアンテナ３７ａの上下左右（ＵＰ、ＤＯＷＮ、ＬＥＦＴ、ＲＩＧＨＴ）に配置されているが、移動方向が判定可能であれば検知センサは任意の位置に配置されてよい。例えば、図１４に示すように、４つの検知センサ３３７ｂが、ＮＦＣアンテナ３７ａの内側において上下左右（ＵＰ、ＤＯＷＮ、ＬＥＦＴ、ＲＩＧＨＴ）に配置されていてもよい。この場合、初期状態において４つの検知センサ３３７ｂがＯＮになるため、ＯＮからＯＦＦとなった検知センサ３３７ｂに対応する方向の反対方向が移動方向となる。
【００５９】
上述の実施形態においては、ＯＮとなっていた検知センサ３７ｂが全て同時にＯＦＦに変化したとき、モバイルデバイス１０１がＮＦＣインターフェース３７から離隔されたと判断する構成であるが、他の構成でモバイルデバイス１０１がＮＦＣインターフェース３７から離隔されたと判断してもよい。その場合、一例として、図１５に示すように、制御部が、ＮＦＣアンテナ３７ａに流れる電流値を検出する電流センサ４３７ｃをさらに備えている。ＮＦＣアンテナ３７ａがコイルとなるため、ＮＦＣアンテナ３７ａ近傍においてモバイルデバイス１０１がＮＦＣインターフェース３７の面方向に移動する度にＮＦＣアンテナ３７ａに誘導電流が流れる。ＣＰＵ３１は、ＮＦＣ方式による無線通信を行った後に、電流センサ４３７ｃによる電流値の検出結果からＮＦＣアンテナ３７ａに誘導電流が流れたことを検知したとき、検知センサ３７ｂが全てＯＦＦになっていれば、モバイルデバイス１０１がＮＦＣインターフェース３７から離隔されたと判断してもよい。これによると、モバイルデバイス１０１をＮＦＣインターフェース３７から離隔させたことを確実に検出することができる。または、ＮＦＣ方式の無線通信に関する問い合わせ信号に対する応答信号を受信しなくなったときに、モバイルデバイス１０１がＮＦＣインターフェース３７から離隔されたと判断してもよい。
【００６０】
上述の実施形態においては、履歴記憶部３４ｂに基づいて、モバイルデバイス１０１で選択できなかったパラメータのうち使用頻度の高いパラメータを優先的にタッチパネル３６に表示して選択可能とする構成であるが、履歴記憶部３４ｂを用いることなく、予めパラメータをタッチパネル３６に表示して選択可能とする構成であってもよい。また、タッチパネル３６に、ＭＦＰ１００に係るすべてのパラメータを表示する構成としてもよい。      
【００６１】
上述の実施形態においては、４つの移動方向に割り付けられたパラメータのいずれかを選択可能とする構成であるが、移動方向の数（選択可能なパラメータ又はパラメータの組み合わせの数）は１〜３であってもよいし、５以上であってもよい。
【００６２】
上述の実施形態においては、モバイルデバイス１０１をスライドさせることでパラメータを選択する構成であるが、パラメータを選択する手段は任意のものであってよい。例えば、タッチパネル３６からユーザが直接手入力するような手段であってもよい。又、ＭＦＰ１００に設けられた図示しない操作ボタンを用いてもよい。
【００６３】
上述の第１実施形態においては、ＮＦＣ方式の無線通信を行っているモバイルデバイス１０１の位置を基準に配置される構成であるが、ＮＦＣ方式の無線通信とは無関係に配置されていてもよい。
【００６４】
印刷機能及びスキャナ機能を有するＭＦＰに本発明を適用した例について説明したが、スキャナ単体、又は、プリンタやＦＡＸなどスキャナ機能を有さない各種印刷装置にも本発明は適用可能である。
【符号の説明】
【００６５】
１０…印刷機構
１１…スキャナ
３２ａ…制御プログラム
３４…フラッシュメモリ
３４ａ…移動方向判定テーブル
３４ｂ…履歴記憶部
３６…タッチパネル
３７…ＮＦＣインターフェース
３７ａ…ＮＦＣアンテナ
３７ｂ…検知センサ
３８…無線ＬＡＮインターフェース
３９…有線ＬＡＮインターフェース
４０…操作パネル
５４…フラッシュメモリ
５４ｃ…ＭＦＰ制御プログラム
５７…ＮＦＣインターフェース
５８…無線ＬＡＮインターフェース
１００…ＭＦＰ
１０１…モバイルデバイス
３３７ｂ…検知センサ
４３７ｃ…電流センサ
【図１】
2015032057.tif 000003
【図２】
2015032057.tif 000004
【図３】
2015032057.tif 000005
【図５】
2015032057.tif 000006
【図６】
2015032057.tif 000007
【図７】
2015032057.tif 000008
【図８】
2015032057.tif 000009
【図９】
2015032057.tif 000010
【図１０】
2015032057.tif 000011
【図１１】
2015032057.tif 000012
【図１２】
2015032057.tif 000013
【図１３】
2015032057.tif 000014
【図１４】
2015032057.tif 000015
【図１５】
2015032057.tif 000016
【図４】
2015032057.tif 000017